(57)【要約】【課題】電話帳に登録された所望の通信相手の情報を少数の操作回数により簡単かつ迅速に探索できるようにし、これにより利便性の向上を図る。【解決手段】マスタ電話帳である第１の電話帳メモリ１３とは別に、少数の通信相手の個人データを保存管理しかつ通話キーの押下のみによりアクセス可能な第２の電話帳メモリ２０を設けている。また、第２の電話帳メモリ２０に対し通信相手の個人データの新規登録、変更及び解除処理等の保存管理を直接行えるようにし、さらに上記保存管理に係わる各種処理のうち新規登録処理及び変更処理の処理結果については第１の電話帳メモリ１３に自動的に反映し、一方登録解除処理の処理結果については第１の電話帳メモリ１３には反映されないようにしている。【選択図】      図１
2006345393.tif 000002
【特許請求の範囲】
【請求項１】
複数の通信相手に係わる情報を保存管理し、待ち受け状態から第１の回数の操作を行うことにより検索可能な第１の電話帳と、
前記第１の電話帳により情報が保存管理される複数の通信相手のうちの一部の通信相手に係わる情報を保存管理し、待ち受け状態から前記第１の回数より少数の第２の回数の操作を行うことにより検索可能な第２の電話帳と、
ユーザの操作に応じ、前記第２の電話帳に対する情報の新規登録処理又は変更処理を行う手段と、
ユーザの操作に応じ、前記第２の電話帳に対する情報の登録を解除する処理を行う手段と、
前記第２の電話帳に対し前記情報の新規登録処理又は変更処理が行われた場合には当該新規登録処理又は変更処理後の情報を前記第１の電話帳に反映し、前記登録の解除処理が行われた場合には該当する情報を前記第１の電話帳から削除しないように制御する第１の保存管理制御手段と
を具備することを特徴とする携帯端末。
【請求項２】
ユーザの操作に応じ、前記第１の電話帳に対する情報の変更処理を行う手段と、
ユーザの操作に応じ、前記第１の電話帳に対する情報の登録を解除する処理を行う手段と、
前記第１の電話帳に対し前記情報の変更処理が行われた場合に当該変更処理後の情報を前記第２の電話帳に反映し、前記登録の解除処理が行われた場合に該当する情報の登録を前記第２の電話帳から解除するように制御する第２の保存管理制御手段と
を具備することを特徴とする携帯端末。
【発明の詳細な説明】
【技術分野】
【０００１】
この発明は、携帯電話機やＰＤＡ（Personal Digital Assistants）等の移動通信用の携帯端末に係わり、特に電話帳を備えた携帯端末に関する。
【背景技術】
【０００２】
携帯電話機等の携帯端末では電話帳を備えたものが一般的になっている。この種の端末を使用すれば、電話発信時やメール送信時に電話帳から所望の通信相手の電話番号又はアドレスを読み出すことで、少ない操作により簡単かつ迅速に発信又はメール送信を行うことが可能となる。また、着信時又はメール受信時には、発信者の電話番号又はメール送信者の発信元アドレスに対応する名前を電話帳から読み出して表示することで、発信者又はメール送信者を的確に把握することが可能となり、大変便利である。
【０００３】
ところがこの種の従来の端末は、一般に通信相手の情報をすべて一つの電話帳で保存し管理しているため、保存管理する通信相手の件数が増えると、所望の通信相手の情報を検索するまでに多くの時間を必要とする。そこで、電話帳に保存されている多数の通信相手を五十音表に従い検索できるようにしたり、また通信相手の属性をもとに複数のグループに分けて保存管理する等の工夫がなされている。しかしながら、このようにすると、電話帳の情報を検索するためのメニュー階層が増加するため、所望の通信相手の情報を探索するまでに多くの階層を辿る必要があり、この結果かえって操作回数が増えるという問題点がある。
【０００４】
一方、当初操作する階層のメニュー画面に、所望の階層の操作画面に対応するアイコンを表示し、このアイコンを選択操作することにより他の階層を辿ることなく上記所望の階層の操作画面に到達するショートカット機能を備えた移動体通信機器が提案されている（例えば、特許文献１を参照。）。
【特許文献１】特開２００２−１９９０８１公報
【発明の開示】
【発明が解決しようとする課題】
【０００５】
ところが、特許文献１に記載された技術では、アイコンはあくまでも所望の階層の操作画面に対しアクセスするためのショートカットメニューに過ぎない。このため、仮にこの技術を電話帳の探索に転用したとすると、電話帳表示画面までのアクセスは簡単に行えるようになるが、電話帳に多数の通信相手の情報が登録されている場合には電話帳内の情報検索メニューを階層化する必要があり、結局所望の通信相手の情報を検索するまでに複数の階層を辿らなければならない。
【０００６】
この発明は上記事情に着目してなされたもので、その目的とするところは、電話帳に登録された所望の通信相手の情報を少数の操作回数により簡単かつ迅速に探索できるようにし、これにより利便性の向上を図った携帯端末を提供することにある。
【課題を解決するための手段】
【０００７】
上記目的を達成するためにこの発明は、複数の通信相手に係わる情報を保存管理し、待ち受け状態から第１の回数の操作を行うことにより検索可能な第１の電話帳と、この第１の電話帳とは別に第２の電話帳を備えている。第２の電話帳は、上記第１の電話帳により情報が保存管理される複数の通信相手のうちの一部の通信相手に係わる情報を保存管理し、かつ待ち受け状態から上記第１の操作回数より少数の第２の回数の操作を行うことにより検索可能に構成される。  
したがってこの発明によれば、例えば使用頻度の高い通信相手の情報を第２の電話帳に登録しておけば、第１の電話帳における通信相手情報の登録件数の影響を受けることなく、常に少ない操作回数で簡単かつ迅速に上記所望の通信相手情報を検索することが可能となる。
【０００８】
さらにこの発明は、ユーザの操作に応じ上記第２の電話帳に対する情報の新規登録処理又は変更処理を行う手段と、ユーザの操作に応じ上記第２の電話帳に対する情報の登録を解除する処理を行う手段と、第１の保存管理制御手段とを備える。そして、この第１の保存管理制御手段により、上記第２の電話帳に対し情報の新規登録処理又は変更処理が行われた場合に当該新規登録処理又は変更処理後の情報を上記第１の電話帳に反映し、一方上記解除処理が行われた場合には該当する情報を上記第１の電話帳から削除しないように制御するようにしたものである。
【０００９】
したがってこの発明によれば、第２の電話帳に対し情報の新規登録処理、変更処理及び登録解除処理等の保存管理処理を直接行うことが可能となる。このため、保存管理処理をすべて第１の電話帳を介して行う場合に比べ、少ない操作で簡単かつ迅速に行えるようになり、これによっても利便性が向上される。
【００１０】
しかも、上記保存管理に係わる各種処理のうち新規登録処理及び変更処理の処理結果は第１の電話帳に自動的に反映されるので、ユーザが同一の情報を第１及び第２の電話帳にそれぞれ新規登録又は変更処理する必要がなくなり、これによっても利便性を高めることができる。一方、第２の電話帳において情報の登録解除処理を行っても、この解除処理の結果は第１の電話帳には反映されない。このため、所望の通信相手情報が不用意に完全に削除されないようにすることができる。
【００１１】
すなわち、第１の電話帳とは別の第２の電話帳を設けているにもかかわらず、情報の新規登録、変更及び登録解除といった情報の保存管理さえも少ない操作で簡単かつ迅速に、しかも情報のロストを起こすことなく適切に行うことが可能となり、これにより利便性を大幅に高めることができる。
【発明の効果】
【００１２】
要するにこの発明によれば、電話帳に登録された所望の通信相手の情報を少数の操作回数により簡単かつ迅速に探索することができ、これにより利便性の向上を図った携帯端末を提供することができる。
【発明を実施するための最良の形態】
【００１３】
以下、図面を参照してこの発明の実施形態を詳細に説明する。  
図１はこの発明に係わる携帯端末の一実施形態を示すブロック図である。同図において、図示しない基地局から送信された無線信号は、アンテナ１で受信されたのちアンテナ共用器（ＤＵＰ）２を介して受信回路（ＲＸ）３に入力される。受信回路３は、上記受信された無線信号を周波数シンセサイザ（ＳＹＮ）４から出力された局部発振信号とミキシングして中間周波信号に周波数変換する。そして、このダウンコンバートされた中間周波信号を直交復調して受信ベースバンド信号を出力する。なお、上記周波数シンセサイザ４から発生される局部発振信号の周波数は、制御部１２から出力される制御信号ＳＹＣによって指示される。
【００１４】
上記受信ベースバンド信号はＣＤＭＡ信号処理部６に入力される。ＣＤＭＡ信号処理部６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮／伸長処理部（以後コンパンダ（compander）と称する）７に入力される。
【００１５】
コンパンダ７は、上記ＣＤＭＡ信号処理部６から出力された受信パケットデータを多重分離部によりメディアごとに分離する。そして、この分離されたメディアごとのデータに対しそれぞれ復号処理を行う。例えば、受信パケットデータにオーディオデータが含まれていれば、このオーディオデータをスピーチコーデックにより復号する。また受信パケットデータにビデオデータが含まれていれば、このビデオデータをビデオコーデックにより復号する。
【００１６】
上記復号処理により得られたディジタルオーディオ信号はＰＣＭ符号処理部（以後ＰＣＭコーデックと称する）８に供給される。ＰＣＭコーデック８は、コンパンダ７から出力されたディジタルオーディオ信号をＰＣＭ復号してアナログオーディオ信号を出力する。このアナログオーディオ信号は、増幅器９にて増幅されたのちスピーカ１０より出力される。
【００１７】
上記コンパンダ７のビデオコーデックにより復号されたディジタルビデオ信号は、制御部１２に入力される。制御部１２は、上記コンパンダ７から出力されたディジタルビデオ信号を、ビデオＲＡＭを介して表示部１５に表示する。表示部１５はＬＣＤ（Liquid Crystal Devise）により構成される。なお、制御部１２は、受信されたビデオデータばかりでなく、図示しないカメラにより撮像されたビデオデータについてもビデオＲＡＭを介して表示部１５に表示する。
【００１８】
また上記コンパンダ７は、受信パケットデータが電子メールの場合には、この電子メールを制御部１２へ出力する。制御部１２は、上記電子メールを図示しないメール受信メモリに記憶する。そして、入力部１４においてユーザが行った表示操作に応じて、上記メール受信メモリから上記電子メールを読み出して表示部１５に表示する。なお、表示部１５には、携帯端末の動作モードを表す情報や、着信報知情報、バッテリ１６の残量又は充電状態を表す情報、現在時刻を表す時計等も表示される。
【００１９】
一方、マイクロホン１１に入力された話者の音声信号は、増幅器１８により適正レベルまで増幅されたのち、ＰＣＭコーデック８にてＰＣＭ符号化処理が施され、ディジタルオーディオ信号となってコンパンダ７に入力される。また、図示しないカメラから出力されるビデオ信号は、制御部１２によりディジタル化されてコンパンダ７に入力される。なお、制御部１２において作成された電子メールも、制御部１２からコンパンダ７に入力される。
【００２０】
コンパンダ７は、ＰＣＭコーデック８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御部１２から出力されたディジタルビデオ信号を符号化してビデオデータを生成する。そして、これらのオーディオデータ及びビデオデータを多重分離部で所定の伝送フォーマットに従い多重化して送信パケットデータを生成し、この送信パケットデータをＣＤＭＡ信号処理部６へ出力する。なお、制御部１２から電子メールが出力された場合にも、この電子メールをパケットデータに変換する。
【００２１】
ＣＤＭＡ信号処理部６は、上記コンパンダ７から出力された送信パケットデータに対し、送信チャネルに割り当てられた拡散符号を用いてスペクトラム拡散処理を施す。そして、その出力信号を送信回路（ＴＸ）５へ出力する。送信回路５は、上記スペクトラム拡散された信号をＱＰＳＫ（Quadrature Phase Shift Keying）方式等のディジタル変調方式を使用して変調する。そして、この変調により生成された送信信号を、周波数シンセサイザ４から発生される局部発振信号と合成して無線信号に周波数変換する。そして、制御部１２により指示される送信電力レベルとなるように上記無線信号を高周波増幅する。この増幅された無線信号は、アンテナ共用器２を介してアンテナ１に供給され、このアンテナ１から基地局へ向け送信される。
【００２２】
入力部１４には、ダイヤルキーと、複数の機能キーが設けられている。機能キーは、通話キー（図１０乃至図２２に示される表示遷移例では「電話」マーク）、終話キー、電源キー、音量調節キー、決定キー（図１０乃至図２２に示される表示遷移例では「◎」マーク）及びカーソルキー（図１０乃至図２２に示される表示遷移例では「←」「→」「↑」「↓」マーク）を含む。電源回路１７は、バッテリ１６の電源出力をもとに所定の動作電源電圧Ｖccを生成して各回路部に供給する。なお、バッテリ１６は図示しない充電回路により充電される。
【００２３】
ところで、この実施形態に係わる携帯端末は記憶部を備えている。この記憶部は、例えばＥＥＰＲＯＭ、ＮＡＮＤメモリ、ハードディスク等を記憶媒体として使用したもので、メール等の送受信データや送受信履歴等を記憶するメモリに加えて、第１の電話帳メモリ１３と、第２の電話帳メモリ２０を備えている。
【００２４】
第１の電話帳メモリ１３には、最大数百件の通話相手の電話帳データが格納される。各電話帳データは、通信相手の個人データとセキュリティフラグとから構成される。通信相手の個人データは、例えば通信相手の氏名、読み仮名、電話番号、メールアドレス及び属性情報とから構成される。セキュリティフラグは、通信相手がセキュリティメンバであるか否かを識別するために用いられる。第１の電話帳メモリ１３は、多数の通話相手の電話帳データを格納するため、通話相手をその属性に応じて複数のグループに分けたり階層化して保存管理する。
【００２５】
一方、第２の電話帳メモリ２０には、上記第１の電話帳メモリ１３に格納された複数の通話相手の電話帳データのうち、通話又はメール送信の頻度の高い特定の通話相手の電話帳データを格納することができる。格納件数の最大値は例えば５件に設定される。上記特定の通話相手の電話帳データは、ユーザにより任意に選択されて、ユーザの登録操作により格納される。また第２の電話帳メモリ１３は、上記第１の電話帳メモリ１３を検索するために必要な操作回数よりも少数の操作回数により検索可能となるように構成される。例えば、待ち受け状態において通話キーを１回操作することにより検索可能となっている。
【００２６】
制御部１２は、例えばマイクロコンピュータを備える。そして、この発明に係わる制御機能として、電話帳検索制御機能１２ａと、電話帳発信・メール送信制御機能１２ｂと、電話帳保存管理機能１２ｃとを備えている。なお、これらの機能１２ａ〜１２ｃはいずれも上記マイクロコンピュータにプログラムを実行させることにより実現される。
【００２７】
電話帳検索制御機能１２ａは、ユーザ操作に応じて第１の電話帳メモリ１３に対する検索処理を行うと共に、それとは異なるユーザ操作に応じて第２の電話帳メモリ２０に対する検索処理を行う。この第２の電話帳メモリ２０の検索処理では、先ず通話キーの操作に応じて初期画面が表示され、この状態でさらにカーソルキーの操作に応じて個々の通信相手の電話帳データが表示される。
【００２８】
電話帳発信・メール送信制御機能１２ｂは、上記第２の電話帳メモリ２０の通信相手の電話帳データが表示された状態で、決定キーの操作に応じて当該通信相手に対する発信又はメール作成処理を行う。例えば、電話帳データ中の電話番号が選択された状態で決定キーが押下された場合には、当該選択された電話番号に従い発信処理を行う。また、電話帳データ中のＥメールアドレスが選択された状態で決定キーが押下された場合には、当該Ｅメールアドレスを宛先とするメール作成画面を表示し、以後メール作成のための文字入力を受け付る。そして送信操作が行われると、上記作成されたＥメールを送信する。
【００２９】
電話帳保存管理機能１２ｃは、第１の電話帳メモリ１３に対する電話帳データの保存管理制御機能と、第２の電話帳メモリ２０に対する電話帳データの保存管理制御機能とを有する。第１の電話帳メモリ１３に対する電話帳データの保存管理制御機能は、入力部１４におけるキー操作に応じて、第１の電話帳メモリ１３に対する電話帳データの新規登録、変更及び登録解除処理を行う。そして、これらの処理のうち電話帳データの変更及び登録解除処理についての結果については、第２の電話帳メモリ２０に反映する。これに対し、新規登録処理については、その結果を第２の電話帳メモリ２０には反映させない。
【００３０】
一方、第２の電話帳メモリ２０に対する電話帳データの保存管理制御機能は、入力部１４におけるキー操作に応じて、第２の電話帳メモリ２０に対する電話帳データの新規登録、変更及び登録解除処理を行う。そして、これらの処理のうち新規登録及び変更については、その処理結果を第１の電話帳メモリ１３に反映する。これに対し登録解除については、その処理結果を第１の電話帳メモリ１３には反映させない。
【００３１】
次に、以上の構成に基づいて電話帳に係わる動作を説明する。  
（１）第２の電話帳メモリの検索  
図２は第２の電話帳メモリ２０を検索する際の制御部１２の検索処理手順と処理内容を示すフローチャート、図１０、図１１及び図１６は検索処理過程で表示部１５に表示される表示データの遷移を示す図である。
【００３２】
待ち受け状態において制御部１２は、ステップ２ａで通話キーの操作を監視する。この状態でユーザが通話キーを押下すると、制御部１２はステップ２ｂにより第２の電話帳メモリ２０に対しアクセスし、電話帳データを読み出す。そして、この読み出された電話帳データがシークレットデータであるか否かをステップ２ｃにより判定する。この判定の結果シークレットデータであれば、ステップ２ｉに移行して表示部１５に警告画面を表示する。また、それと共にスピーカ１０から警告音を拡声出力させる。図１０ｄは上記警告画面の表示結果の一例を示す。なお、上記警告画面の表示は、表示開始から２秒が経過するか又はその間に決定ボタンが押下されたことがステップ２ｊで検出されると終了する。そして、図１０に示すように待ち受け画面１０ａに戻る。
【００３３】
一方、読み出された電話帳データがシークレットデータでなければ、制御部１２はステップ２ｄに移行して、上記読み出された電話帳データの表示処理を実行する。この結果表示部１５には、例えば図１１に示すように１件目の通信相手の個人データ１１ｂが表示される。なお、第２の電話帳メモリ２０に通信相手の個人データが１件も登録されていない場合には、図１０の１０ｂに示すように「登録なし」が表示される。
【００３４】
また上記通信相手の個人データが表示された状態で、ユーザがカーソルキー「→」を操作すると、図１１に示すように２件目の通信相手の個人データ１１ｃが表示される。以後同様にカーソルキー「→」が操作されるごとに、３件目、４件目、…のデータが順次選択表示される。図１１中の１１ｄは５件目の個人データの表示例を示す。なお、カーソルキー「←」を操作した場合には、各個人データが反対方向に選択表示される。図１６はこのようにして選択される５件の個人データの表示例とその遷移を示すもので、同図では１件目から３件目まで通信相手の個人データが登録され、４件目及び５件目は未登録の場合を示している。  
なお、上記通信相手の個人データが表示された状態で、ユーザがクリアキーを押下するか又はダイヤルキーにより「戻る」を選択すると、表示画面は図１０及び図１１に示すように待ち受け画面１０ａ，１１ａに復帰する。
【００３５】
（２）第２の電話帳メモリによる発信又はメール作成  
上記検索操作により所望の通信相手の個人データが表示され、この状態でユーザがカーソルキー「↓」又は「↑」を押下すると、通信形態のメニュー項目が選択される。例えば、ユーザが電話発信を希望する場合には「電話」が選択され、またメール送信であれば「Ｅメール」又は「ショートメール」が選択される。そうして希望する通信形態のメニューが選択されたのちユーザが決定キーを押下すると、制御部１２はステップ２ｇにおいて上記決定キーによる確定操作を検出し、以後以下のように発信／メール作成処理を実行する。図３はその処理手順と処理内容を示すフローチャート、図１２は上記処理過程において表示される表示データの遷移を示すものである。
【００３６】
すなわち、制御部１２は先ずステップ３ａにより、上記カーソルキー「↓」又は「↑」の操作により選択された通信形態のメニューを判定する。そして、選択メニューが図１２の１２ａに示すように「電話」であれば、ステップ３ｂに移行して発信画面１２ｄを表示する。そして、ステップ３ｃにより、上記選択された電話番号に従い発信処理を行う。具体例としては、待受画面（図１１のステップ１１ａ）から通話キーを一度押下すると「東京太郎」の電話帳データが表示され（図１１のステップ１１ｂ又は図１２のステップ１２ａ）、更に通話キー又は決定キーを押下すると「東京太郎」に発信することができるので、２つのキー操作だけで発信ができる。
【００３７】
これに対しユーザが選択した選択メニューが「Ｅメール」だったとする。この場合、制御部１２はステップ３ｄに移行し、ここでＥメール作成画面１２ｅを表示部１５に表示する。そしてステップ３ｅにより、ユーザによるＥメールの作成のための文字等の入力を受け付け、この入力された文字等により送信メールを作成する。なお、この送信メールには、上記選択されたＥメールのメールアドレスが宛先情報として挿入される。そして、作成終了後にユーザが送信操作を行うと、制御部１２はステップ３ｆからステップ３ｇに移行して、上記作成された送信メールを送信する。  
同様に、ユーザが選択した選択メニューが「ショートメール」だった場合には、ステップ３ｈからステップ３ｋにより、ショートメール作成画面１２ｆの表示、文字等の入力受付処理及び送信処理が順次行われる。
【００３８】
また、上記カーソルキー「↓」又は「↑」の操作により選択メニューのうち「確認」が選択されたのち、決定キーが押下されたとする。この場合制御部１２は以下のように個人データの確認表示処理を実行する。図１３乃至図１５はこの確認表示処理過程において表示部１５に表示される表示データの遷移を示す図である。  
すなわち、制御部１２はステップ３ｌに移行し、ここで図１３に示すように個人データ１３ｊの項目を確認するための画面１３ｂを表示する。そして、この状態でユーザがカーソルキー「↓」又は「↑」を操作すると、個人データの項目が図１３の１３ｂ〜１３ｅ、図１４の１４ａ〜１４ｄ、図１５の１５ａ，１５ｂのように、表示カーソルにより順次選択されて表示される。
【００３９】
また、上記個人データの任意の項目が表示カーソルにより選択された状態で決定キーを押下すると、図１３の１３ｆ〜１３ｉ、図１４の１４ｅ〜１４ｈに示すように、当該選択された項目のデータがそれぞれ表示される。なお、個人データの項目のうち「フォト」が選択された場合には、図１５の１５ｃに示すように予め登録された静止画又は動画が読み出されて表示される。また、個人データの項目のうち「着信音確認」が選択された場合には、図１５の１５ｄに示すように着信音の登録の有無が表示され、この状態でさらに決定キーを押下すると登録されている着信音が再生される。図１５の１５ｅは着信音再生中の表示画面の一例を示すものである。
【００４０】
（３）第２の電話帳メモリへの個人データの新規登録  
第２の電話帳メモリ２０への通信相手の個人データの新規登録は次のように行われる。図４及び図５はその処理手順と処理内容を示すフローチャート、図１７及び図１８は新規登録処理過程において表示される表示データの遷移を示す図である。
【００４１】
すなわち、制御部１２は、ステップ４ａにより第２の電話帳メモリ２０の未登録データ１７ａが表示された状態で、ステップ４ｂにより登録操作を監視する。この状態でユーザがダイヤルキーを操作して「登録」を選択すると、制御部１２はステップ４ｃに移行して図１７に示すように登録・変更メニュー画面１７ｂを表示する。なお、このとき上記第２の電話帳メモリ２０内の選択された記憶領域は未登録なので、上記登録・変更メニュー画面１７ｂでは複数のメニューのうち「新規登録」及び「第１の電話帳呼出」のみが表示され、新規登録とは無関係のメニュー「編集」及び「解除」はグレーアウト表示される。また、第１の電話帳メモリ１３に電話帳データがまったく登録されていない場合には、上記メニューのうち「第１の電話帳呼出」もグレーアウト表示される。
【００４２】
上記登録・変更メニュー画面１７ｂが表示された状態で制御部１２はステップ４ｄ及びステップ４ｅによりそれぞれクリア操作及びメニューの選択操作を監視している。この状態でクリア操作が行われると、制御部１２はステップ４ａに戻って第２の電話帳メモリ２０の初期表示画面１７ａに戻る。
【００４３】
一方、ユーザが通信相手の個人データを新規登録するべく、メニュー「新規登録」を選択したとする。そうすると制御部１２はステップ４ｆに移行して、新規登録受付画面１７ｃを表示部１５に表示する。そして、図５に示すようにステップ５ａ及びステップ５ｂによりそれぞれクリア操作及び選択操作を監視し、クリア操作が行われると図４のステップ４ｃに戻って上記登録・変更メニュー画面１７ｂを再度表示する。これに対しユーザが個人データの項目選択操作を行うと、以後ステップ５ｃに移行して新規登録データの入力受付処理を実行する。したがって、この状態でユーザがダイヤルキー等を操作して通信相手の個人データを表す英数字や文字データを入力すれば、この入力されたデータは制御部１２に保持される。
【００４４】
この個人データのデータ入力受付処理を行いながら制御部１２は、ステップ５ｄにより登録／終話操作を監視する。この状態でユーザが登録操作を行うと、ステップ５ｅにより新規登録の確認メッセージ１７ｅを表示する。そして、ユーザが決定キーを押下するか又は表示期間が５秒を経過すると、上記保持しておいた入力データをステップ５ｆにより第２の電話帳メモリ２０に格納する。また、このとき同時に上記入力データを第１の電話帳メモリ１３にも格納する。
【００４５】
なお、上記入力データを既登録データに代えて登録する場合には、上書き登録の確認メッセージ１７ｆを表示する。そして、ユーザが決定キーを押下するか又は表示期間が５秒を経過すると、上記保持しておいた入力データを第２の電話帳メモリ２０に上書き保存する。また、同時に上記入力データを、第１の電話帳メモリ１３の該当する領域にも上書き保存する。図１７の１７ｇは登録後の表示画面の一例を示すものである。
【００４６】
一方、上記個人データのデータ入力受付中にユーザが終話操作を行ったとする。この場合制御部１２はステップ５ｇに移行し、ここで図１８に示すように入力データを登録するか又は破棄するかを問い合わせるための登録／破棄問い合わせメッセージ１８ｃを表示する。そして、ステップ５ｈにより登録指示及び破棄指示の入力を監視し、この状態で登録指示が入力されればステップ５ｅに移行する。そして、このステップ５ｅで確認メッセージ１８ｄ又は１８ｅを表示したのち、入力データを第１及び第２の電話帳メモリ１３，２０に保存する。これに対し破棄指示が入力されれば、上記入力データを保存せずにそのまま新規登録処理を終了する。
【００４７】
（４）第１の電話帳メモリの登録データを第２の電話帳メモリにコピーする場合  
通信相手の個人データを第２の電話帳メモリに登録する手法としては、第１の電話帳メモリの登録データを第２の電話帳メモリにコピーする手法を用いることもできる。図６はその処理手順と処理内容を示すフローチャート、図１９はコピーの処理過程で表示される情報の遷移を示す図である。
【００４８】
登録・変更メニュー画面１９ａが表示された状態で、ユーザが「第１の電話帳呼出」を選択したとする。そうすると制御部１２はステップ６ａからステップ６ｂに移行し、ここで第１の電話帳メモリ１３から登録データを読み出して表示部１５に表示する。このとき登録データは、図１９の１９ｂに示すように通信相手の名前のみが例えば五十音順に表示される。上記登録データが五十音順に表示された状態で、制御部１２はステップ６ｃ，６ｄ及び６ｃでそれぞれクリア操作、確定操作及び選択操作を監視する。そして、この状態でユーザがクリア操作を行うと、上記登録・変更メニュー画面１９ａが表示された状態に戻る。
【００４９】
これに対しユーザがダイヤルキーにより確定操作を行うと、制御部１２はステップ６ｉに移行し、上記表示中の登録データのうち表示カーソルにより選択されている登録データを第２の電話帳メモリ２０の選択中の記憶領域に保存する。図１９の１９ｄはコピー後の表示画面の一例を示すものである。
【００５０】
また、ユーザが選択操作を行うと、ステップ６ｆにおいて、上記表示中の登録データのうち表示カーソルが表示された通信相手の個別データが選択され、この選択された個別データを構成するすべての項目が第１の電話帳メモリ１３から読み出され、図１９の１９ｃに示すように表示部１５に表示される。この状態で制御部１２は、ステップ６ｇ，６ｈによりそれぞれクリア操作及び確定操作を監視する。そして、ユーザがクリア操作を行うと、上記登録データが五十音順に表示された状態１９ｂに戻る。
【００５１】
これに対しユーザが確定操作を行うと、制御部１２はステップ６ｈからステップ６ｉに移行し、ここで上記表示中の個人データを第２の電話帳メモリ２０の選択中の記憶領域に保存する。そして、このコピーされた個人データは図１９の１９ｄに示すように表示部１５に表示される。
【００５２】
（５）第２の電話帳メモリの登録データを変更する場合  
第２の電話帳メモリ２０に登録された通信相手の個人データは、第２の電話帳メモリ２０をアクセスすることにより直接変更することが可能である。図７及び図８はその変更処理手順と処理内容を示すフローチャート、図２０及び図２１は変更処理過程において表示部１５に表示される表示データの遷移を示す図である。
【００５３】
第２の電話帳メモリ２０に登録された通信相手の個人データを変更する場合、ユーザは通話キーを押下する。そうすると制御部１２は、前記図２に示したように第２の電話帳メモリ２０をアクセスして登録データを読み出し、この読み出された登録データを図２０の２０ａに示すように表示部１５に表示する。そしてステップ７ｂにおいて変更操作を監視する。この状態でユーザがダイヤルキーにより変更操作を行うと、制御部１２はステップ７ｃに移行してここで登録・変更メニュー画面２０ｂを表示部１５に表示する。またこの状態で制御部１２は、ステップ７ｄ，７ｅによりそれぞれクリア操作及び選択操作を監視する。そして、ユーザがクリア操作を行うと、ステップ７ａに戻って上記登録データの表示画面２０ａを再表示する。
【００５４】
これに対しユーザが、上記登録・変更メニュー画面２０ｂの各メニューのうち「編集」を選択したとする。そうすると制御部１２はステップ７ｆに移行し、該当する通信相手の個別データを第２の電話帳メモリ２０から読み出して図２０の２０ｃに示すように表示部１５に表示する。そして、ユーザが上記表示された個人データの各項目のうち、変更しようとする項目を選択したのち決定キーを押下すると、制御部１２はステップ８ａからステップ８ｂに移行して変更データの入力受付処理を実行する。したがって、この状態でユーザが入力部１４のダイヤルキー等を操作して英数字又は文字データを入力すれば、この入力された変更データは制御部１２に保持される。すなわち、ユーザによる個人データの変更入力が行われる。
【００５５】
この変更データの入力受付処理を行いながら制御部１２は、ステップ８ｃにより登録／終話操作を監視する。この状態でユーザがダイヤルキーにより登録操作を行うと、ステップ８ｄにより上書き保存の許否を確認するメッセージ２０ｅを表示する。この確認メッセージ２０ｅは、カーソルキー「↓」又は「↑」の操作により２０ｅと２０ｈとの間で切り替わる。そして、上記上書き保存を許可するメッセージ２０ｅが表示された状態でユーザが決定キーを押下すると、制御部１２はステップ８ｇに移行してここで登録確認ガイダンスメッセージ２０ｆを表示する。そして、ユーザが決定キーを押下するか又は表示期間が５秒を経過すると、上記保持しておいた変更入力データを第２の電話帳メモリ２０に上書き保存する。また、同時に上記変更入力データを、第１の電話帳メモリ１３の該当する領域にも上書き保存する。図２０の２０ｇは変更された後の表示画面の一例を示すものである。
【００５６】
なお、上書き保存を拒否するメッセージ２０ｈが表示された状態でユーザが決定キーを押下した場合には、制御部１２は上記変更データの上書き保存を行わずにそのまま変更処理を終了する。なお、このときステップ７ａに戻って上記登録データの表示画面２０ａを再表示するようにしてもよい。
【００５７】
一方、上記個人データの変更入力受付中にユーザが終話操作を行ったとする。この場合制御部１２はステップ８ｉに移行し、図２１に示すように入力データを登録して終了するか又は破棄して終了するかを問い合わせるメッセージ２１ｃを表示する。そして、ステップ８ｊにより登録指示及び破棄指示の入力を監視する。この状態で、ユーザが登録指示を入力するとステップ８ｄに移行する。そして、このステップ８ｄで更新問い合わせメッセージ２１ｄを表示し、この状態でユーザが決定キーを押下すれば登録確認ガイダンスメッセージ２１ｅを表示する。そして、ユーザが決定キーを押下すれば、変更入力データを第１の電話帳メモリ１３に上書き保存し、同時に第１の電話帳メモリ１３にも同一の変更入力データを上書き保存する。これに対し破棄指示が入力されれば、上記入力データを保存せずにそのまま登録データの変更処理を終了する。
【００５８】
（６）第２の電話帳メモリにおける登録の解除  
第２の電話帳メモリ２０に登録された通信相手の個人データは、第２の電話帳メモリ２０をアクセスすることにより登録を解除することが可能である。図９はその登録解除処理の手順と内容を示すフローチャート、図２２は解除処理の過程において表示部１５に表示される表示データの遷移を示す図である。
【００５９】
第２の電話帳メモリ２０における個人データの登録を解除する場合、ユーザは先ず通話キーを押下する。そうすると制御部１２は、前記図２に示したように第２の電話帳メモリ２０をアクセスして登録データを読み出し、この読み出された登録データを図２０の２０ａに示すように表示部１５に表示する。そして、この状態でユーザがダイヤルキーにより変更操作を行うと、制御部１２はステップ９ａにより登録・変更メニュー画面２２ａを表示部１５に表示する。
【００６０】
次にユーザは、図２２の２２ｂに示すようにカーソルキー「↓」を操作して「解除」を選択し、続いて決定キーを押下する。そうすると制御部１２は、ステップ９ｂからステップ９ｃに移行して解除の問い合わせメッセージ２２ｃを表示部１５に表示する。この問い合わせメッセージ２０ｃは、カーソルキー「↓」又は「↑」の操作により２０ｃと２０ｄとの間で切り替わる。そして制御部１２は、ステップ９ｄ，９ｅによりそれぞれクリア操作及び決定操作を監視する。そして、ユーザがクリア操作を行うと、ステップ９ａに戻って上記登録・変更メニュー画面２２ａを再表示する。
【００６１】
一方、解除を許可する問い合わせメッセージ２２ｃが表示された状態でユーザが決定キーを押下したとする。そうすると制御部１２は、ステップ９ｆにより第２の電話帳メモリ２０から該当データの登録を解除する。ただし、この場合第１の電話帳メモリ１３の対応する個人データは削除せずにそのまま保存を維持する。上記該当データの登録を解除すると制御部１２は、図２２に示すように解除完了メッセージ２２ｅを表示する。そして、この状態でユーザが決定キーを押下するか又は表示期間が２秒を経過すると、上記解除完了メッセージ２２ｅの表示を終了し、解除された後の第２の電話帳メモリ２０の登録データ（登録なし）２２ｆを表示する。
【００６２】
なお、第１の電話帳メモリ１３においても、先に述べた第２の電話帳メモリ２０の場合と同様の処理手順及び処理内容により個人データの登録を選択的に解除することが可能である。ただし、この場合には上記第１の電話帳メモリ１３における登録解除に連動して、第２の電話帳メモリ２０における該当データの登録も解除される。
【００６３】
このため、マスタ電話帳である第１の電話帳メモリ１３から個人データが削除されたにもかかわらず、第２の電話帳メモリ２０に同一の個人データが残留する不具合は防止される。また、第２の電話帳メモリ２０における登録解除処理が第１の電話帳メモリ１３における登録解除に連動するので、ユーザにとっては第２の電話帳メモリ２０に対する登録解除処理を行う必要がなくなり、その分操作上の負担が軽減される。
【００６４】
以上述べたようにこの実施形態では、マスタ電話帳である第１の電話帳メモリ１３とは別に、少数の通信相手の個人データを保存管理しかつ通話キーの押下のみによりアクセス可能な第２の電話帳メモリ２０を設けている。このため、例えば使用頻度の高い通信相手の個人データを第２の電話帳メモリ２０に登録しておけば、第１の電話帳メモリ１３における登録件数の影響を受けることなく、常に少ない操作回数で簡単かつ迅速に所望の通信相手の個人データを検索することが可能となる。このため、ユーザの利便性は大幅に向上される。
【００６５】
また、第２の電話帳メモリ２０に対し通信相手の個人データの新規登録、変更及び解除処理等の保存管理を直接行えるようにしているので、保存管理をすべて第１の電話帳メモリ１３を介して行う場合に比べ少ない操作で簡単かつ迅速に行えるようになり、これによっても利便性が向上される。
【００６６】
しかも、上記保存管理に係わる各種処理のうち新規登録処理及び変更処理の処理結果は第１の電話帳メモリ１３に自動的に反映されるので、ユーザが同一の情報を第１及び第２の電話帳メモリ１３，２０にそれぞれ新規登録又は変更処理する必要がなくなり、これによっても利便性を高めることができる。一方、第２の電話帳メモリ２０において個人データの登録解除処理を行っても、この解除処理の結果は第１の電話帳メモリ１３には反映されない。このため、所望の通信相手の個人データがマスタ電話帳である第１の電話帳メモリ１３から不用意に完全削除されないようにすることができる。
【００６７】
なお、この発明は上記実施形態に限定されるものではない。例えば、前記実施形態では第２の電話帳メモリ２０への通信相手の個人データの新規登録を、ユーザ自身が任意に手動操作により行う場合を例にとって説明した。しかし、それに限るものではなく、第１の電話帳メモリ１３に登録された個人データの各々についてその使用頻度をカウントし、使用頻度が高い上位数件を第２の電話帳メモリ２０に自動的にコピーするようにしてもよい。このようにすると、ユーザは個人情報の登録操作を自ら行う必要がなくなり、これにより利便性をさらに高めることができる。
【００６８】
また、その際第２の電話帳メモリ２０に、ユーザ自身が個人データを手動登録する記憶領域と、使用頻度に応じて個人データを自動登録する記憶領域とを設けるようにしてもよい。このようにすると、使用頻度とは無関係にユーザが希望する通信相手の個人データを第２の電話帳メモリ２０で保存管理することが可能となる。
【００６９】
また、前記実施形態では第１の電話帳メモリ１３と第２の電話帳メモリ２０とを独立して設けた場合を例にとって説明したが、共通のメモリの記憶領域を第１の電話帳用と第２の電話帳用に分割するようにしてもよい。さらに、通信相手の個人データは共通電話帳メモリに一括して格納し、第１の電話帳メモリ及び第２の電話帳メモリにはそれぞれ上記共通電話帳メモリに格納された個人データとの関連付け情報を記憶するようにしてもよい。このようにすると、同一の個人データを第１の電話帳メモリと第２の電話帳メモリの両方に二重に格納する必要がなくなり、これによりメモリ容量を節約することができる。
【００７０】
このように個人データを共通電話帳メモリに格納するように構成した場合、第１の電話帳メモリの情報を表示する際にはその関連付け情報に基づき表示し、同様に第２の電話帳メモリの情報を表示する際には、その関連付け情報に基づき表示する。また、新規登録に際し図５のステップ５ｆにおいては、新規登録した情報を共通電話帳メモリに登録し、第１及び第２の電話帳メモリには関連付け情報を登録することになる。また、変更処理に際し図８のステップ８ｈにおいては、更新した共通電話帳メモリに対して第１及び第２の電話帳メモリの関連付けておくことになる。
【００７１】
さらには、第１の電話帳メモリに通信相手の個人データを一括して登録し、第２の電話帳メモリには第１の電話帳に格納された個人データとの関連付け情報を記憶するようにしてもよい。このように構成しても、同一の個人データを第１の電話帳メモリと第２の電話帳メモリの両方に二重に格納する必要がなくなり、これによりメモリ容量を節約することができる。
【００７２】
このように個人データを第１の電話帳メモリに格納するように構成した場合、第２の電話帳メモリの情報を表示する際には、その関連付け情報に基づき表示する。また、新規登録に際し図５のステップ５ｆにおいては、新規登録した情報を第１の電話帳メモリに登録し、第２の電話帳メモリには関連付け情報を登録することになる。また、変更処理に際し図８のステップ８ｈにおいては、第１の電話帳メモリに記憶された情報を更新し、その更新した第１の電話帳メモリに対して第２の電話帳メモリの関連付けておくことになる。
【００７３】
その他、第２の電話帳メモリに対する情報の新規登録、変更及び解除の処理手順と処理内容、第２の電話帳の数や構成、記憶媒体の種類、通信相手にかかわる情報の構成、携帯端末の種類とその構成等についても、この発明の要旨を逸脱しない範囲で種々変形して実施できる。
【００７４】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００７５】
【図１】この発明に係わる携帯端末の一実施形態を示すブロック図。
【図２】図１に示した携帯端末による、第２の電話帳メモリの検索処理手順と処理内容を示すフローチャート。
【図３】図１に示した携帯端末による、第２の電話帳メモリを使用した発信／メール作成処理手順と処理内容を示すフローチャート。
【図４】図１に示した携帯端末による、第２の電話帳メモリへの個人データの新規登録処理手順と処理内容の前半部分を示すフローチャート。
【図５】図１に示した携帯端末による、第２の電話帳メモリへの個人データの新規登録処理手順と処理内容の後半部分を示すフローチャート。
【図６】図１に示した携帯端末による、第１の電話帳メモリから第２の電話帳メモリへの登録データのコピー処理手順と処理内容を示すフローチャート。
【図７】図１に示した携帯端末による、第２の電話帳メモリの登録データ変更処理手順と処理内容の前半部分を示すフローチャート。
【図８】図１に示した携帯端末による、第２の電話帳メモリの登録データ変更処理手順と処理内容の後半部分を示すフローチャート。
【図９】図１に示した携帯端末による、第２の電話帳メモリの登録データ解除処理手順と処理内容を示すフローチャート。
【図１０】第２の電話帳メモリの検索処理過程において表示される表示データの遷移を示す図。
【図１１】第２の電話帳メモリの検索処理過程において表示される表示データの遷移を示す図。
【図１２】第２の電話帳メモリを使用した発信／メール作成処理過程において表示される表示データの遷移を示す図。
【図１３】第２の電話帳メモリの登録データ確認処理過程において表示される表示データの遷移を示す図。
【図１４】第２の電話帳メモリの登録データ確認処理過程において表示される表示データの遷移を示す図。
【図１５】第２の電話帳メモリの登録データ確認処理過程において表示される表示データの遷移を示す図。
【図１６】第２の電話帳メモリの検索処理過程において表示される表示データの遷移を示す図。
【図１７】第２の電話帳メモリへの新規登録処理過程で表示される表示データの遷移を示す図。
【図１８】第２の電話帳メモリへの新規登録処理過程で表示される表示データの遷移を示す図。
【図１９】第１の電話帳メモリの登録データを第２の電話帳メモリにコピーする過程で表示される表示データの遷移を示す図。
【図２０】第２の電話帳メモリに登録されたデータの変更処理過程で表示される表示データの遷移を示す図。
【図２１】第２の電話帳メモリに登録されたデータの変更処理過程で表示される表示データの遷移を示す図。
【図２２】第２の電話帳メモリに登録されたデータの登録解除処理の過程で表示される表示データの遷移を示す図。
【符号の説明】
【００７６】
１…アンテナ、２…アンテナ共用器（ＤＵＰ）、３…受信回路（ＲＸ）、４…周波数シンセサイザ（ＳＹＮ）、５…送信回路（ＴＸ）、６…ＣＤＭＡ信号処理部、７…圧縮伸長処理部（コンパンダ）、８…ＰＣＭ信号処理部、９…受話増幅器、１０…スピーカ、１１…マイクロホン、１２…制御部、１２ａ…電話帳検索制御機能、１２ｂ…電話帳発信・メール送信制御機能、１２ｃ…電話帳保存管理機能、１３…第１の電話帳メモリ、１４…入力部、１５…表示部、１６…バッテリ、１７…電源回路、１８…送話増幅器、２０…第２の電話帳メモリ。
【図１】
2006345393.tif 000003
【図２】
2006345393.tif 000004
【図３】
2006345393.tif 000005
【図４】
2006345393.tif 000006
【図５】
2006345393.tif 000007
【図６】
2006345393.tif 000008
【図７】
2006345393.tif 000009
【図８】
2006345393.tif 000010
【図９】
2006345393.tif 000011
【図１０】
2006345393.tif 000012
【図１１】
2006345393.tif 000013
【図１２】
2006345393.tif 000014
【図１３】
2006345393.tif 000015
【図１４】
2006345393.tif 000016
【図１５】
2006345393.tif 000017
【図１６】
2006345393.tif 000018
【図１７】
2006345393.tif 000019
【図１８】
2006345393.tif 000020
【図１９】
2006345393.tif 000021
【図２０】
2006345393.tif 000022
【図２１】
2006345393.tif 000023
【図２２】
2006345393.tif 000024
【手続補正書】
【提出日】平成18年1月19日(2006.1.19)
【手続補正１】
【補正対象書類名】特許請求の範囲
【補正対象項目名】請求項２
【補正方法】変更
【補正の内容】
【請求項２】
複数の通信相手に係わる情報を保存管理し、待ち受け状態から第１の回数の操作を行うことにより検索可能な第１の電話帳と、
前記第１の電話帳により情報が保存管理される複数の通信相手のうちの一部の通信相手に係わる情報を保存管理し、待ち受け状態から前記第１の回数より少数の第２の回数の操作を行うことにより検索可能な第２の電話帳と、
ユーザの操作に応じ、前記第１の電話帳に対する情報の変更処理を行う手段と、
ユーザの操作に応じ、前記第１の電話帳に対する情報の登録を解除する処理を行う手段と、
ユーザの操作に応じ、前記第２の電話帳に対する情報の新規登録処理又は変更処理を行う手段と、
ユーザの操作に応じ、前記第２の電話帳に対する情報の登録を解除する処理を行う手段と、
前記第２の電話帳に対し前記情報の新規登録処理又は変更処理が行われた場合には当該新規登録処理又は変更処理後の情報を前記第１の電話帳に反映し、前記登録の解除処理が行われた場合には該当する情報を前記第１の電話帳から削除しないように制御する第１の保存管理制御手段と、
前記第１の電話帳に対し前記情報の変更処理が行われた場合に当該変更処理後の情報を前記第２の電話帳に反映し、前記登録の解除処理が行われた場合に該当する情報の登録を前記第２の電話帳から解除するように制御する第２の保存管理制御手段と
を具備することを特徴とする携帯端末。
【手続補正２】
【補正対象書類名】明細書
【補正対象項目名】００１１
【補正方法】変更
【補正の内容】
【００１１】
すなわち、第１の電話帳とは別の第２の電話帳を設けているにもかかわらず、情報の新規登録、変更及び登録解除といった情報の保存管理さえも少ない操作で簡単かつ迅速に、しかも情報のロストを起こすことなく適切に行うことが可能となり、これにより利便性を大幅に高めることができる。
またこの発明は、ユーザの操作に応じて第１の電話帳に対する情報の変更処理を行う手段と、ユーザの操作に応じて第１の電話帳に対する情報の登録を解除する処理を行う手段と、第２の保存管理制御手段とをさらに具備し、この第２の保存管理制御手段により、上記第１の電話帳に対し上記情報の変更処理が行われた場合に当該変更処理後の情報を第２の電話帳に反映し、上記登録の解除処理が行われた場合に該当する情報の登録を第２の電話帳から解除するように制御することも特徴とする。